【手続補正書】
【提出日】平成30年7月16日(2018.7.16)
【手続補正１】
【補正対象書類名】明細書
【補正対象項目名】００１５
【補正方法】変更
【補正の内容】
【００１５】
他の態様において、本発明は植物を発育するためのアセンブリを規定し、このアセンブリは、
複数の円筒形の管と、
前記管を垂直に配置された配列に配置する管支持配置体と、
液体処理システムと、を有し、
前記管のそれぞれは、前記管の使用中に液体を収容する凹部が前記管の内壁に形成されるようにそれぞれの前記管端に設けられた閉鎖部と、使用中、前記管から液体を重力で流せる排液口と、前記排液口に移動可能に係合され、上端が前記凹部内の最大液体高さを規定する縦樋を備え、前記凹部内の最大液体高さを適宜選択的に設定する液体高さ調整部と、複数の上向きの植物用開口とを有し、
前記管支持配置体では、使用中、最上の前記植物用容器に供給された液体が、最下の前記管に直接、又は前記最上の管と前記最下の管との間に配置された一つもしくは複数の前記管を介して流れることができるように、上方の前記管からの液体が、この管の排液口を通してすぐ下の前記管の前記凹部へ重力によって流れることができ、
前記管支持配置体は、基部と、前記基部から上方に突出するように前記基部に取り付けられた対向する二つの起立体とを備え、それぞれの前記起立体が複数の管溝を備え、それぞれの前記管溝が、取り外し可能に管の端部を受領するように構成され、それぞれの前記管溝が、他方の前記起立体にある対応する管溝と整列しており、
前記液体処理システムは、前記最上の管に液体を供給し、前記最下の管から液体を受領する手段であり、
前記液体処理システムは、前記基部に配置され、前記最下の管の排液口から液体を受領するタンクと、前記基部に配置され、前記タンクに接続されたポンプ吸入口とポンプ吐出口とを備えるポンプと、前記ポンプ吐出口から前記最上の管へ液体を搬送する出口導管とを備え、
使用中、それぞれの前記管内の液体の最大高さを、他の前記管と独立に調整できる。
【手続補正２】
【補正対象書類名】明細書
【補正対象項目名】００５２
【補正方法】変更
【補正の内容】
【００５２】
発育管１１６は、枠体１１０以外の手段によって支持されていてもよい。例えば、それぞれの発育管は、壁又は他の垂直面に直接取り付けることができる。これに代えて、発育管１１６は、壁又は他の垂直面に直接取り付けられる部品（例えば、通常の壁取付棚部品によって支持できる）。更にこれに代えて、発育管１１６は、例えば、針金又はひもによって上方から吊るしてもよい。
【手続補正３】
【補正対象書類名】特許請求の範囲
【補正対象項目名】全文
【補正方法】変更
【補正の内容】
【特許請求の範囲】
【請求項１】
複数の植物用容器と、
前記複数の植物用容器を垂直に配置された配列に配置する容器支持配置体と、
液体処理システムと、
を有する植物を発育するためのアセンブリであって、
前記植物用容器のそれぞれは、前記植物用容器の使用時に液体を収容する凹部と、使用中、前記植物用容器から液体を重力で流せる排液口と、前記凹部内の最大液体高さを適宜選択的に設定する液体高さ調整手段とを備え、
前記容器支持配置体では、使用中、最上の前記植物用容器に供給された液体が、最下の前記植物用容器に直接、又は前記最上の植物用容器と前記最下の植物用容器との間に配置された一つもしくは複数の前記植物用容器を介して流れることができるように、上方の前記植物用容器からの液体が、この植物用容器の排液口を通してすぐ下の前記植物用容器の前記凹部へ重力によって流れることができ、
前記液体処理システムは、前記最上の植物用容器に液体を供給し、前記最下の植物用容器から液体を受領する手段であり、
使用中、それぞれの前記植物用容器内の液体の高さを、他の前記植物用容器と独立に調整でき、
それぞれの前記液体高さ調整手段は、移動可能に前記排液口と係合された縦樋を備え、前記縦樋の上端が前記凹部内の最大液体高さを規定し、前記縦樋が前記排液口と摺動自在に係合され、前記縦樋が前記排液口に対して上下に直接移動できるアセンブリ。
【請求項２】
それぞれの前記植物用容器が、複数の上向きの植物用開口を有する管を備えている請求項１に記載のアセンブリ。
【請求項３】
それぞれの前記植物用開口が、発育媒体支持部を備えている請求項２に記載のアセンブリ。
【請求項４】
植物用容器を植物用開口内に取り出し可能で置くために使用し、それぞれの前記植物用開口の周囲に弾性可撓性材料が配置されている請求項２に記載のアセンブリ。
【請求項５】
前記管が円筒形である請求項２に記載のアセンブリ。
【請求項６】
それぞれの前記管が二つの端部を備え、前記容器支持配置体が対向する二つの起立体を備え、それぞれの前記起立体が複数の管溝を備え、それぞれの前記管溝が、取り外し可能に管の端部を受領するように構成され、それぞれの前記管溝が、他方の前記起立体にある対応する管溝と整列している請求項２に記載のアセンブリ。
【請求項７】
それぞれの前記植物用容器が長手方向に延びて長さを備え、それぞれの前記排液口がそれぞれの前記植物用容器の排液端の近くに配置され、
前記植物用容器が互いに同一であり、
前記容器支持配置体は、前記排液端が交互に配列され垂直に整列されたアセンブリ内の前記植物用容器を支持し、上方の植物用容器の排液口を通じて流れる液体が、前記排液端と反対側の前記植物用容器の端部の近くで、すぐ下の前記植物用容器によって受領され、
前記アセンブリ内を通る液体が、それぞれの前記植物用容器の長さ方向に流れる請求項１に記載のアセンブリ。
【請求項８】
前記液体処理システムが、
前記最下の植物用容器の排液口から液体を受領するタンクと、
前記タンクに接続されたポンプ吸入口とポンプ吐出口とを備えるポンプと、
前記ポンプ吐出口から前記最上の植物用容器へ液体を搬送する出口導管と、を備え、
使用中、前記ポンプが、前記アッセンブリ内で液体を循環させる請求項１に記載のアセンブリ。
【請求項９】
前記容器支持配置体が基部を備え、前記タンクと前記ポンプが前記基部内に配置されている請求項８に記載のアセンブリ。
【請求項１０】
前記タンク内の液体の温度に作用する液体温度制御装置を更に有する請求項８に記載のアセンブリ。
【請求項１１】
前記液体温度制御装置が、前記タンク内に収容されたサブタンクと、前記サブタンクに内に延びる熱交換フィンを備えるペルチェ素子とを備えている請求項１０に記載のアセンブリ。
【請求項１２】
前記タンクと前記ポンプが、前記植物用容器から離れて配置され、
前記液体処理システムが、前記最下の植物用容器から前記タンクに液体を搬送する入口導管を更に備えている請求項８に記載のアセンブリ。
【請求項１３】
内壁を備える複数の円筒形の管と、
前記管を垂直に配置された配列に配置する管支持配置体と、
液体処理システムと、
を有する植物を発育するためのアセンブリであって、
前記管のそれぞれは、前記管の使用中に液体を収容する凹部が前記管の内壁に形成されるようにそれぞれの前記管端に設けられた閉鎖部と、使用中、前記管から液体を重力で流せる排液口と、前記排液口に移動可能に係合され、上端が前記凹部内の最大液体高さを規定する縦樋を備え、前記凹部内の最大液体高さを適宜選択的に設定する液体高さ調整手段と、複数の上向きの植物用開口とを有し、
前記管支持配置体では、使用中、最上の前記植物用容器に供給された液体が、最下の前記管に直接、又は前記最上の管と前記最下の管との間に配置された一つもしくは複数の前記管を介して流れることができるように、上方の前記管からの液体が、この管の排液口を通してすぐ下の前記管の前記凹部へ重力によって流れることができ、
前記管支持配置体は、基部と、前記基部から上方に突出するように前記基部に取り付けられた対向する二つの起立体とを備え、それぞれの前記起立体が複数の管溝を備え、それぞれの前記管溝が、取り外し可能に管の端部を受領するように構成され、それぞれの前記管溝が、他方の前記起立体にある対応する管溝と整列しており、
前記液体処理システムは、前記最上の管に液体を供給し、前記最下の管から液体を受領する手段であり、
前記液体処理システムは、前記基部に配置され、前記最下の管の排液口から液体を受領するタンクと、前記基部に配置され、前記タンクに接続されたポンプ吸入口とポンプ吐出口とを備えるポンプと、前記ポンプ吐出口から前記最上の植物用容器へ液体を搬送する出口導管とを備え、
使用中、それぞれの前記管内の液体の最大高さを、他の前記管と独立に調整できるアセンブリ。
【請求項１４】
前記縦樋が前記排液口と摺動自在に係合され、前記縦樋が、前記排液口に対して上下に直接移動できる請求項１３に記載のアセンブリ。